(57)【要約】【課題】簡単な構成で、曲調が崩れることなく効果的にリズム系の音を強調することができる音楽再生装置、音楽再生方法、及び、プログラムを格納した記録媒体を提供する。【解決手段】  リズム連動帯域抽出手段が、音楽信号からリズム系の基音が含まれる帯域よりも高い帯域でありかつボーカル、メロディ楽器の基音には連動せずにリズム系の音に連動してレベル変動が生じる帯域であるリズム連動帯域（例えば１４０００〜１５０００Ｈｚ）を抽出する。強調帯域抽出手段２が、音楽信号からリズム系の音を強調したい強調帯域（例えば１００〜２００Ｈｚ）を抽出する。信号レベル変換手段３が、リズム連動帯域抽出手段１により抽出されたリズム連動帯域の信号レベルに応じて強調帯域抽出手段２により抽出された強調帯域の信号レベルを変換する。加算手段４が、信号レベル変換手段３により変換された強調帯域の音楽信号を音楽信号に加算する。【選択図】図１
2008249755.tif 000002
【特許請求の範囲】
【請求項１】
音楽信号のリズム系の音を強調する音楽再生装置において、
前記音楽信号から前記リズム系の基音が含まれる帯域よりも高い帯域でありかつボーカル、メロディ楽器の基音には連動せずに前記リズム系の音に連動してレベル変動が生じる帯域であるリズム連動帯域を抽出するリズム連動帯域抽出手段と、
前記音楽信号から前記リズム系の音を強調したい強調帯域を抽出する強調帯域抽出手段と、
前記リズム連動帯域抽出手段により抽出された前記リズム連動帯域の信号レベルに応じて前記強調帯域抽出手段により抽出された前記強調帯域の信号レベルを変換する信号レベル変換手段と、
を有することを特徴とする音楽再生装置。
【請求項２】
前記リズム連動帯域が、１００００Ｈｚ以上１８０００Ｈｚ以下の範囲に設定されていることを特徴とする請求項１に記載の音楽再生装置。
【請求項３】
前記強調帯域が、前記リズム連動帯域と重ならないように設定されていることを特徴とする請求項１又は２に記載の音楽再生装置。
【請求項４】
前記信号レベル変換手段により変換された前記強調帯域の音楽信号を前記音楽信号に加算する加算手段を有することを特徴とする請求項１〜３何れか１項に記載の音楽再生装置。
【請求項５】
前記信号レベル変換手段が、前記リズム連動帯域の音楽信号のレベルを検知して当該レベルに応じた信号を出力するレベル検知手段と、前記強調帯域抽出手段により抽出された強調帯域の音楽信号と前記レベル検知手段の出力信号とを乗算する乗算手段と、から構成されていることを特徴とする請求項１〜４何れか１項に記載の音楽再生装置。
【請求項６】
前記信号レベル変換手段が、前記強調帯域抽出手段により抽出された強調帯域の音楽信号を増幅するゲイン調整可能な増幅手段と、前記リズム連動帯域抽出手段により抽出された前記リズム連動帯域の信号レベルに応じて前記増幅手段のゲインを調整するゲイン調整手段と、から構成されていることを特徴とする請求項１〜４何れか１項に記載の音楽再生装置。
【請求項７】
音楽信号のリズム系の音を強調する音楽再生方法において、
前記音楽信号から前記リズム系の基音が含まれる帯域よりも高い帯域でありかつボーカル、メロディ楽器の基音には連動せずに前記リズム系の音に連動してレベル変動が生じる帯域であるリズム連動帯域を抽出すると共に前記音楽信号から前記リズム系の音を強調したい強調帯域を抽出する工程と、
前記工程により抽出された前記リズム連動帯域の信号レベルに応じて前記強調帯域の信号レベルを変換させる工程と、
を順次行うことを特徴とする音楽再生方法。
【請求項８】
コンピュータに音楽信号のリズム系の音を強調する処理を行わせるプログラムを格納した記録媒体において、
前記音楽信号から前記リズム系の基音が含まれる帯域よりも高い帯域でありかつボーカル、メロディ楽器の基音には連動せずに前記リズム系の音に連動してレベル変動が生じる帯域であるリズム連動帯域が、前記コンピュータにより抽出され、
前記音楽信号から前記リズム系の音を強調したい強調帯域が、前記コンピュータにより抽出され、そして、
前記抽出された前記リズム連動帯域の信号レベルに応じて前記強調帯域の信号レベルが、前記コンピュータにより変換されるようにしたことを特徴とするプログラムを記録した記録媒体。
【発明の詳細な説明】
【技術分野】
【０００１】
本発明は、音楽再生装置、音楽再生方法、及び、プログラムを格納した記録媒体に関するものである。
【背景技術】
【０００２】
一般的に、楽器音などのリズム系の音は波形立ち上がり時の「アタック音」と、その後に持続する「余韻」とによって形成されており、これらは単独または組み合わされて音を形作っている。
【０００３】
例えば、ドラムから発生するリズム系の音では、ドラム・スティックで打たれた瞬間に音を発し始め、その後の音は減衰しながら僅かの時間継続して鳴り続ける。そして、ドラム・スティックによりドラムが励起された時に出る音がアタック音であり、一方、その後にドラムの皮の共鳴によって続く音が余韻である。
【０００４】
そして、低域アタック音のみ増幅するとドラムなどの迫力ある音の躍動感が増すことになり、また、高域アタック音のみ増幅するとシンバルなどの音がより透明感のあるクリアな音となることが予想され、既に、上記のようなアタック音を検出して、アタック音のみを特に効果的に強調して音楽を再生することが試みられている。
【０００５】
例えば特許文献１には、音楽信号を複数の周波数帯に分割し、各帯域信号の立ち上がりの急激な部分を示すアタック強調係数を計算し、その計算したアタック強調係数を帯域信号に乗算し、その後全帯域信号を合成するものが記載されている。
【０００６】
しかしながら、上記特許文献１に記載された方法では、単に帯域信号の振幅が急激に増加する部分をアタック音として検出するために、アタック音が無い音（例えばパイプオルガンなど）に対しても反応してしまい、曲調が崩れるという問題があった。
【０００７】
上記問題を解決するために、例えば特許文献２に記載されたアタック音検出装置が提案されている。このアタック音検出装置は、音楽信号を複数の周波数帯域に分割して各帯域信号の振幅増加分を検出し、各帯域信号の振幅増加分が全て略同一時刻に発生したときのみアタック音があることを検出して、その音を強調する装置である。しかしながら、上述した特許文献２に記載された装置では、複数の周波数帯域の全てに対して振幅増幅分を検出する必要があり、信号処理量が膨大になる、という問題があった。
【特許文献１】特開２００２−６４８９５号公報
【特許文献２】特開平９−３１９３６６号公報
【発明の開示】
【発明が解決しようとする課題】
【０００８】
本発明は、かかる問題を解決することを目的としている。即ち、本発明は、例えば、簡単な構成で、曲調が崩れることなく効果的にリズム系の音を強調することができる音楽再生装置、音楽再生方法、及び、プログラムを格納した記録媒体を提供することを目的としている。
【課題を解決するための手段】
【０００９】
請求項１記載の発明は、音楽信号のリズム系の音を強調する音楽再生装置において、前記音楽信号から前記リズム系の基音が含まれる帯域よりも高い帯域でありかつボーカル、メロディ楽器の基音には連動せずに前記リズム系の音に連動してレベル変動が生じる帯域であるリズム連動帯域を抽出するリズム連動帯域抽出手段と、前記音楽信号から前記リズム系の音を強調したい強調帯域を抽出する強調帯域抽出手段と、前記リズム連動帯域抽出手段により抽出された前記リズム連動帯域の信号レベルに応じて前記強調帯域抽出手段により抽出された前記強調帯域の信号レベルを変換する信号レベル変換手段と、を有することを特徴とする音楽再生装置に存する。
【００１０】
請求項７記載の発明は、音楽信号のリズム系の音を強調する音楽再生方法において、前記音楽信号から前記リズム系の基音が含まれる帯域よりも高い帯域でありかつボーカル、メロディ楽器の基音には連動せずに前記リズム系の音に連動してレベル変動が生じる帯域であるリズム連動帯域を抽出すると共に前記音楽信号から前記リズム系の音を強調したい強調帯域を抽出する工程と、前記工程により抽出された前記リズム連動帯域の信号レベルに応じて前記強調帯域の信号レベルを変換させる工程と、を順次行うことを特徴とする音楽再生方法に存する。
【００１１】
請求項８記載の発明は、コンピュータに音楽信号のリズム系の音を強調する処理を行わせるプログラムを格納した記録媒体において、前記音楽信号から前記リズム系の基音が含まれる帯域よりも高い帯域でありかつボーカル、メロディ楽器の基音には連動せずに前記リズム系の音に連動してレベル変動が生じる帯域であるリズム連動帯域が、前記コンピュータにより抽出され、前記音楽信号から前記リズム系の音を強調したい強調帯域が、前記コンピュータにより抽出され、そして、前記抽出された前記リズム連動帯域の信号レベルに応じて前記強調帯域の信号レベルが、前記コンピュータにより変換されるようにしたことを特徴とするプログラムを記録した記録媒体に存する。
【発明を実施するための最良の形態】
【００１２】
以下、本発明に係る音楽再生装置の一最良の形態を、図１及び図２の図面を参照して説明する。なお、図１及び図２は本発明に係る音楽再生装置の基本構成の一例を示す構成図である。
【００１３】
本発明者は、簡単な構成で、曲調が崩れることなく効果的にリズム系の音を強調すべく検討を重ねた結果、リズム系の基音が含まれる帯域よりも高い帯域に、音楽信号にボーカル、メロディ楽器の基音には連動せずにリズム系の音に連動してレベル変動が生じるリズム連動帯域が存在することを見い出し、本発明に係る音楽再生装置を完成するに至った。
【００１４】
即ち、図１及び図２に示すように、音楽信号のリズム系の音を強調するための音楽再生装置は、音楽信号からリズム系の基音が含まれる帯域よりも高い帯域でありかつボーカル、メロディ楽器の基音には連動せずにリズム系の音に連動してレベル変動が生じる帯域であるリズム連動帯域を抽出するリズム連動帯域抽出手段１と、音楽信号からリズム系の音を強調したい強調帯域を抽出する強調帯域抽出手段２と、リズム連動帯域抽出手段１により抽出されたリズム連動帯域の信号レベルに応じて強調帯域抽出手段２により抽出された強調帯域の信号レベルを変換する信号レベル変換手段３と、を有している。
【００１５】
これによれば、信号レベル変換手段３が、リズム連動帯域抽出手段１により抽出されたリズム連動帯域の信号レベルに応じて強調帯域抽出手段２により抽出された強調帯域の信号レベルを変換することにより、複数の帯域毎にアタック音を検出することなく、簡単な構成で、曲調が崩れることなく効果的にリズム系の音を強調することができる。
【００１６】
また、音楽再生装置は、リズム連動帯域が、１００００Ｈｚ以上１８０００Ｈｚ以下の範囲に設定されていてもよい。
【００１７】
これによれば、メロディに連動することなく、リズムのみに連動する音を強調させることができ、より一層、効果的にリズム系の音を強調することができる。
【００１８】
また、音楽再生装置は、強調帯域が、リズム連動帯域と重ならないように設定されていてもよい。
【００１９】
これによれば、互いに異なる帯域である強調帯域、リズム連動帯域の両方の信号レベルが大きいときのみに強調することができるため、より一層、効果的にリズム系の音を強調することができる。
【００２０】
また、音楽再生装置は、信号レベル変換手段３により変換された強調帯域の音楽信号を音楽信号に加算する加算手段４を有していてもよい。
【００２１】
これによれば、加算手段４によりリズムを強調した強調帯域の音楽信号を原音（音楽信号）に重畳することができる。
【００２２】
また、図１に示すように、音楽再生装置は、信号レベル変換手段３が、リズム連動帯域の音楽信号のレベルを検知して当該レベルに応じた信号を出力するレベル検知手段６と、強調帯域抽出手段２により抽出された強調帯域の音楽信号とレベル検知手段６の出力信号とを乗算する乗算手段３Ａと、から構成されていてもよい。
【００２３】
これによれば、乗算手段３Ａを用いて強調帯域の音楽信号とレベル検知手段６の出力信号とを乗算するだけで簡単に、強調帯域の音楽信号の信号レベルが小さいとき、リズム連動帯域の音楽信号の信号レベルが大きくても強調しないようにすることができる。また、強調帯域の音楽信号の信号レベルが大きくても、リズム連動帯域の音楽信号の信号レベルが小さければ強調しないようにすることができるので、より一層、簡単な構成で、効果的にリズム系の音を強調することができる。
【００２４】
また、図２に示すように、音楽再生装置は、信号レベル変換手段３が、強調帯域抽出手段２により抽出された強調帯域の音楽信号を増幅するゲイン調整可能な増幅手段３Ｂと、リズム連動帯域抽出手段１により抽出されたリズム連動帯域の音楽信号の信号レベルに応じて増幅手段３Ｂのゲインを調整するゲイン調整手段３Ｃと、から構成されていてもよい。
【００２５】
これによれば、増幅手段３Ｂ、ゲイン調整手段３Ｃを用いて、リズム連動帯域の信号レベルに応じて強調帯域の信号レベルを変換することができる。
【００２６】
また、本発明の一実施の形態に係る音楽再生方法は、音楽信号のリズム系の音を強調する音楽再生方法において、音楽信号からリズム系の基音が含まれる帯域よりも高い帯域でありかつボーカル、メロディ楽器の基音には連動せずにリズム系の音に連動してレベル変動が生じる帯域であるリズム連動帯域を抽出すると共に音楽信号からリズム系の音を強調したい強調帯域を抽出する工程と、工程により抽出されたリズム連動帯域の信号レベルに応じて強調帯域の信号レベルを変換させる工程と、を順次行う。
【００２７】
これによれば、リズム連動帯域の音楽信号の信号レベルに応じて強調帯域の音楽信号の信号レベルを変換することにより、複数の帯域毎にアタック音を検出することなく、簡単な構成で、曲調が崩れることなく効果的にリズム系の音を強調することができる。
【００２８】
また、本発明の一実施の形態に係るプログラムを格納した記録媒体は、音楽信号からリズム系の基音が含まれる帯域よりも高い帯域でありかつボーカル、メロディ楽器の基音には連動せずにリズム系の音に連動してレベル変動が生じる帯域であるリズム連動帯域が、コンピュータにより抽出され、音楽信号からリズム系の音を強調したい強調帯域が、コンピュータにより抽出され、そして、抽出されたリズム連動帯域の信号レベルに応じて強調帯域の信号レベルが、コンピュータにより変換されるようにする。
【００２９】
これによれば、リズム連動帯域の音楽信号の信号レベルに応じて強調帯域の音楽信号の信号レベルを変換することにより、複数の帯域毎にアタック音を検出することなく、簡単な構成で、曲調が崩れることなく効果的にリズム系の音を強調することができる。
【実施例】
【００３０】
次に、上述した音楽再生装置の実施例を以下説明する。まず、本発明者は、音楽信号のうち２０〜２００Ｈｚ、２００〜１０００Ｈｚ、１０００Ｈｚ〜１００００Ｈｚ、１００００Ｈｚ以上の各周波数帯を抽出し、各周波数帯の信号レベルの変動と、ボーカル、メロディ楽器の基音及びリズム系の音と、の関係を調べてみた。結果を表１に示す。
【００３１】
【表１】
2008249755.tif 000003
【００３２】
表１に示すように、２０〜２００Ｈｚでは、リズム系の音が多く含まれており、そのレベル変動は音楽リズムに連動することが多いことが分かった。２００Ｈｚ〜１０００Ｈｚでは、音楽を構成する主な楽器の基音が集中しており、そのレベル変動はリズム系の音だけでなくメロディにも連動することが分かった。１０００Ｈｚ〜１００００Ｈｚでは、音楽を構成する主な楽器の倍音が多く含まれ、そのレベル変動はリズム系だけでなくメロディにも連動することが分かった。そして、リズム系の基音が含まれる帯域（２０Ｈｚ〜２００Ｈｚ）よりも高い１００００Ｈｚ以上の高域で、ボーカル、メロディ楽器の基音には連動せずにリズム系の音にのみ連動するリズム連動帯域が存在することが分かった。
【００３３】
そこで、本発明者は、上記リズム連動帯域の音楽信号を利用してリズム系の音を強調すべく、図３に示すように音楽再生装置１００を構成した。なお、図３は音楽再生装置の構成の一例を示す構成図である。
【００３４】
この音楽再生装置１００は、例えばＤＶＤ（Digital Versatile Disc）やＣＤ（Compact Disc）、ハードディスク（Hard Disk）などの記録媒体に記録されているデジタルの音楽信号をスピーカによって再生可能な信号に処理する。この音楽再生装置１００には、処理した音楽情報を再生する出力部２００が接続されている。
【００３５】
出力部２００は、音楽再生装置１００から出力される音楽信号を再生出力する。この出力部２００は、デジタル／アナログ（Ｄ／Ａ）変換器２１０と、アンプ２２０と、スピーカ２３０とを備えている。Ｄ／Ａ変換器２１０は、音楽再生装置１００に接続され、音楽再生装置１００から出力されるデジタルの音楽信号をアナログに変換する。そして、Ｄ／Ａ変換器２１０は、アナログに変換した音楽信号をアンプ２２０へ出力する。
【００３６】
アンプ２２０は、Ｄ／Ａ変換器２１０に接続されているとともに、スピーカ２３０に接続されている。このアンプ２２０は、Ｄ／Ａ変換器２１０から出力されるアナログの音楽信号を増幅してスピーカ２３０から出力させる。
【００３７】
音楽再生装置１００は、上述した記憶媒体から読み取ったデジタルの音楽信号が入力されるＤＩＲ（Digital Interface Receiver：デジタルインタフェースレシーバ）１０１と、圧縮された音楽信号を復調するデコーダ１０２と、復調された音楽信号の例えばミキシング処理やエフェクト処理などの各種信号処理を行うＤＳＰ（Digital Signal Processor：デジタル信号処理装置）１０３と、ＤＳＰ１０３を制御するＣＰＵ１０４とから構成されている。
【００３８】
次に、上述したＤＳＰ１０３の構成について図４を参照して以下説明する。ＤＳＰ１０３は図示しないメモリに記憶されたプログラムにより、音楽信号を３つのルートＲ１、Ｒ２、Ｒ３に分岐すると共に、リズム連動帯域抽出手段としてのバンドパスフィルタ（以下ＢＰＦ）１と、強調帯域抽出手段としてのＢＰＦ２−１と、増幅部５と、増幅手段としての増幅部３Ｂ−１と、レベル検知手段としてのレベル検知部６と、信号レベル変換手段、乗算手段としての乗算部３Ａ−１と、加算手段としての加算部４と、遅延部７〜９と、を備えている。
【００３９】
上記ＢＰＦ１は、ルートＲ３上に設けられ、音楽信号から上述したリズム連動帯域を抽出するフィルタである。本実施例では、ＢＰＦ１は例えば１４０００Ｈｚ〜１５０００Ｈｚを抽出するように設けられている。
【００４０】
上記ＢＰＦ２−１は、ルートＲ２上に設けられ、音楽信号からリズム系の音を強調したい強調帯域を抽出するフィルタである。本実施例では、ＢＰＦ２−１は例えば人が音楽を聴いたときにその音・帯域をリズムと判断する帯域（リズム系楽器の基音）であって、かつボーカルやメロディ楽器の基音（２００Ｈｚ〜１０００Ｈｚ）以外の帯域である１００Ｈｚ〜２００Ｈｚを抽出するように設けられている。
【００４１】
上記増幅部５は、ＢＰＦ１が抽出したリズム連動帯域の音楽信号を増幅するものである。上記増幅部３Ｂ−１は、ＢＰＦ２−１が抽出した強調帯域の音楽信号を増幅するものである。
【００４２】
レベル検知部６は、ＢＰＦ１が抽出したリズム連動帯域の音楽信号を平滑化してその信号レベルを検知するものである。このレベル検知部６としては、例えば全波整流部と５０Ｈｚ以下の周波数を通過させるローパスフィルタとから構成しても良いし、リズム連動帯域の音楽信号の瞬時振幅をホールドする構成でも良いし、リズム連動帯域の音楽信号の実効値を算出する構成でもよい。即ち、レベル検知部６は、リズム連動帯域の時間の経過に応じた信号レベルの変化を平滑化する構成であればよい。
【００４３】
乗算部３Ａ−１は、ＢＰＦ２−１により抽出された強調帯域の音楽信号に、レベル検知部６によってリズム連動帯域の音楽信号を平滑化した信号を乗算するものである。この乗算部３Ａ−１によって、ＢＰＦ１により抽出されたリズム連動帯域の信号レベルに応じてＢＰＦ２−１により抽出された強調帯域の信号レベルを変換することができる。即ち、乗算部３Ａ−１は、リズム連動帯域の信号レベルが大きいほど強調帯域の信号レベルが大きくなるように変換できる。
【００４４】
加算部４は、乗算部３Ａ−１によって変換された強調帯域の音楽信号を音楽信号（原音）に加算するものである。
【００４５】
また、遅延部７〜９はそれぞれ、各ルートＲ１、Ｒ２、Ｒ３上に設けられている。各遅延部７〜９は、ＢＰＦ１、２−１を使ったフィルタ処理による音楽信号の群遅延やレベル検知部６の処理遅延に起因する各ルートＲ１、Ｒ２、Ｒ３での位相のズレを整えるために設けてある。
【００４６】
上述したＤＰＳ１０３内での信号処理動作について以下説明する。まず、ＤＰＳ１０３内に音楽信号が入力されると、ＤＰＳ１０３内のＢＰＦ１が音楽信号からリズム連動帯域の音楽信号を抽出すると共にＢＰＦ２−１が音楽信号から強調帯域の音楽信号を抽出する。ＢＰＦ１によって抽出されたリズム連動帯域の音楽信号は、増幅器５で増幅され、レベル検知部６で平滑化され、さらに遅延部９で遅延されて位相を整えた後に、乗算部３Ａ−１に入力される。
【００４７】
一方、ＢＰＦ２−１によって抽出された強調帯域の音楽信号は、増幅器３Ｂ−１で増幅され、遅延部８で遅延されて位相を整えた後に、乗算部３Ａ−１に入力される。そして、乗算部３Ａ−１では、強調帯域の音楽信号とリズム連動帯域の音楽信号を平滑化した信号とが乗算され、リズム連動帯域の音楽信号の信号レベルに応じて強調帯域の音楽信号が変換される。乗算部３Ａ−１に変換された強調帯域の信号レベルは、加算部４によって音楽信号（原音）に加算される。
【００４８】
上述した音楽再生装置の効果について表２を参照して以下説明する。
【００４９】
【表２】
2008249755.tif 000004
【００５０】
入力された音楽信号がリズム系の音であるときは、表２のパターン１に示すようにリズム連動帯域の信号レベル、強調帯域の信号レベルの両レベルが大きくなる。よって、強調帯域の音楽信号を大きく増幅させて原音に加算することができ、リズム系の音を強調することができる。また、入力された音楽信号がリズム系の音でなくても、表２のパターン２に示すようにメロディなどの影響により強調帯域の信号レベルが大きくなることがある。しかしながら、リズム連動帯域の信号レベルが小さければ、乗算部３Ａ−１により乗算しても強調帯域の音楽信号はほとんど増幅されない。このため、リズム系の音でない音が強調されることがない。
【００５１】
また、入力された音楽信号がリズム系の音でなくても、表２のパターン３に示すようにメロディなどの影響によりリズム連動帯域の信号レベルが大きくなることがある。しかしながら、強調帯域の信号レベルが小さければ、乗算部３Ａ−１により乗算しても強調帯域の音楽信号はほとんど増幅されない。このため、リズム系の音でない音が強調されることがない。さらに、表３のパターン４に示すように入力された音楽信号がリズム系の音でないとき、リズム連動帯域、強調帯域の両信号レベルが大きくなる確率はほとんどない。これにより、リズム系の音を正確に強調することができる。
【００５２】
次に、本発明者は、上記ＢＰＦ１の通過帯域を２００Ｈｚ〜４００Ｈｚ、４００Ｈｚ〜６００Ｈｚ、６００Ｈｚ〜８００Ｈｚ、８００Ｈｚ〜１０００Ｈｚ、１０００Ｈｚ〜２０００Ｈｚ、２０００Ｈｚ〜３０００Ｈｚ、３０００Ｈｚ〜４０００Ｈｚ、４０００Ｈｚ〜５０００Ｈｚ、５０００Ｈｚ〜６０００Ｈｚ、６０００Ｈｚ〜７０００Ｈｚ、７０００Ｈｚ〜８０００Ｈｚ、８０００Ｈｚ〜９０００Ｈｚ、１００００Ｈｚ〜１２０００Ｈｚ、１２０００Ｈｚ〜１４０００Ｈｚ、１４０００Ｈｚ〜１６０００Ｈｚ、１６０００Ｈｚ〜１８０００Ｈｚ、１８０００Ｈｚ〜２００００Ｈｚとして音楽再生装置１００を各々作製して、音楽信号を再生してみた。結果を表３に示す。
【００５３】
【表３】
2008249755.tif 000005
【００５４】
表３に示すように、ＢＰＦ１の通過帯域を２００Ｈｚ〜４００Ｈｚに設定すると、リズム系の音以外でも音が揺らいでしまい、この２００Ｈｚ〜４００Ｈｚをリズム連動帯域に設定することができないことが分かった。また、ＢＰＦ１の通過帯域を４００Ｈｚ〜６００Ｈｚに設定すると、リズム感が出なくなってしまい、この４００Ｈｚ〜６００Ｈｚをリズム連動帯域に設定することができないことが分かった。同様に、ＢＰＦ１の通過帯域を６００Ｈｚ〜２０００Ｈｚの間に設定すると、リズム系の音以外にもボーカルやメロディの音にも連動して強調されてしまい、この６００Ｈｚ〜２０００Ｈｚをリズム連動帯域に設定することができないことが分かった。
【００５５】
また、ＢＰＦ１の通過帯域を２０００Ｈｚ〜５０００Ｈｚの間に設定すると、２００Ｈｚ〜２０００Ｈｚのときほどではないが、リズム系の音以外にもボーカルやメロディの音にもやや連動して強調されてしまい、この２０００Ｈｚ〜５０００Ｈｚをリズム連動帯域に設定することができないことが分かった。
【００５６】
また、ＢＰＦ１の通過帯域を５０００Ｈｚ〜７０００Ｈｚの間に設定すると、２０００Ｈｚ〜５０００Ｈｚのときほどではないが、リズム系の音以外にもボーカルやメロディの音にもやや連動して強調されてしまい、躍動感が少なく、この５０００Ｈｚ〜７０００Ｈｚをリズム連動帯域に設定することができないことが分かった。
【００５７】
また、ＢＰＦ１の通過帯域を７０００Ｈｚ〜９０００Ｈｚの間に設定すると、５０００Ｈｚ〜７０００Ｈｚのときほどではないが、リズム系の音以外にもボーカルやメロディの音にもやや連動して強調されてしまい、やや躍動感が少なく、この７０００Ｈｚ〜９０００Ｈｚをリズム連動帯域に設定することができないことが分かった。
【００５８】
また、ＢＰＦ１の通過帯域を１００００Ｈｚ〜１６０００Ｈｚの間に設定すると、ボーカルやメロディの音には連動せずにリズム系の音に連動してリズムが強調され、この１００００Ｈｚ〜１６０００Ｈｚをリズム連動帯域に設定できることが分かった。
【００５９】
また、ＢＰＦ１の通過帯域を１６０００Ｈｚ〜１８０００Ｈｚの間に設定すると、若干音の揺らぎはあるもののリズム系の音に連動してリズムが強調され、この１６０００Ｈｚ〜１８０００Ｈｚもリズム連動帯域を設定できることが分かった。また、ＢＰＦ１の通過帯域を１８０００Ｈｚ〜２００００Ｈｚの間に設定すると、音の揺らぎが激しくなり、この１８０００Ｈｚ〜２００００Ｈｚをリズム連動帯域に設定することができないことが分かった。
【００６０】
以上のことから、リズム連動帯域を１００００Ｈｚ〜１８０００Ｈｚの間に設定すれば、曲調が崩れることなく効果的にリズム系の音を強調することができることが分かった。また、リズム連動帯域を１００００Ｈｚ〜１６０００Ｈｚの間に設定すれば、より一層曲調が崩れることなく効果的にリズム系の音を強調することができることが分かった。
【００６１】
上述したように、本実施例では、リズム連動帯域を１４０００Ｈｚ〜１５０００Ｈｚに設定しているので、曲調が崩れることなく効果的にリズム系の音を強調することができる。
【００６２】
上述した実施例によれば、ＤＰＳ１０３は、リズム系の基音が含まれる帯域よりも高い帯域でありかつ音楽信号からボーカル、メロディ楽器の基音には連動せずにリズム系の音に連動してレベル変動が生じる帯域であるリズム連動帯域を抽出するＢＰＦ１と、音楽信号からリズム系の音を強調したい強調帯域を抽出するＢＰＦ２−１と、ＢＰＦ１により抽出されたリズム連動帯域の音楽信号の信号レベルに応じてＢＰＦ２−１より抽出された強調帯域の音楽信号の信号レベルを変換する乗算部３Ａ−１と、を有している。これにより、乗算部３Ａ−１が、ＢＰＦ１により抽出されたリズム連動帯域の音楽信号の信号レベルに応じてＢＰＦ２−１により抽出された強調帯域の音楽信号の信号レベルを変換することにより、複数の帯域毎にアタック音を検出することなく、簡単な構成で、曲調が崩れることなく効果的にリズム系の音を強調することができる。
【００６３】
また、上述した実施例によれば、リズム連動帯域が、１００００Ｈｚ以上１８０００Ｈｚ以下の範囲に設定されているので、メロディに連動することなく、リズムのみに連動する音を強調させることができ、より一層、効果的にリズム系の音を強調することができる。
【００６４】
また、上述した実施例によれば、強調帯域（１００Ｈｚ〜２００Ｈｚ）がリズム連動帯域（１４０００Ｈｚ〜１５０００Ｈｚ）と重ならないように設定されているので、表２に示すように互いに異なる帯域である強調帯域、リズム連動帯域の両方の信号レベルが大きいときのみに強調することができるため、より一層、効果的にリズム系の音を強調することができる。
【００６５】
また、上述した実施例によれば、乗算部３Ａ−１により変換された強調帯域の音楽信号を音楽信号に加算する加算部４を有しているので、加算部４によりリズムを強調した強調帯域の音楽信号を原音（音楽信号）に重畳することができる。
【００６６】
また、上述した実施例によれば、ＢＰＦ２−１により抽出された強調帯域の音楽信号に、レベル検知部６により平滑化したリズム連動帯域の音楽信号を乗算する乗算部３Ａ−１によって、ＢＰＦ１により抽出されたリズム連動帯域の音楽信号の信号レベルに応じてＢＰＦ２−１により抽出された強調帯域の音楽信号の信号レベルを変換しているので、乗算部３Ａ−１を用いて強調帯域の音楽信号とレベル検知部６の出力信号とを乗算するだけで簡単に、表２に示すように強調帯域の音楽信号の信号レベルが小さいとき、リズム連動帯域の音楽信号の信号レベルが大きくても強調しないようにすることができる。また、強調帯域の音楽信号の信号レベルが大きくても、リズム連動帯域の音楽信号の信号レベルが小さければ強調しないようにすることができるので、より一層、簡単な構成で、効果的にリズム系の音を強調することができる。
【００６７】
なお、上述した実施例によれば、強調帯域は１００Ｈｚ〜２００Ｈｚの間であったが、本発明はこれに限ったものではない。例えば、図５に示すように、１００Ｈｚ〜２００Ｈｚを抽出するＢＰＦ２−１に加えて、１５０００Ｈｚ以上を強調帯域として抽出するＢＰＦ２−２を設けても良い。図１と図５との異なる点は、音楽信号をさらにルートＲ４に分岐する点、ルートＲ４上に強調帯域抽出手段としてのＢＰＦ２−２、増幅部３Ｂ−２、遅延部１０を設ける点、リズム連動帯域の信号レベルと１５０００Ｈｚ以上の強調帯域の信号レベルとを乗算する信号レベル変換手段、乗算手段としての乗算部３Ａ−２をさらに設ける点である。図５に示すように、１５０００Ｈｚ以上を強調することにより、リズム音の高次倍音を強調して、リズム音の鋭さを強調することができる。
【００６８】
また、上述した実施例によれば、強調帯域としては１００Ｈｚ〜２００Ｈｚ、１５０００以上として音楽の躍動感を強調していたが、上述した実施例に限定されるものではなく、リズム系の音を強調したい帯域であれば別の帯域でもよい。また、上述した実施例によれば、リズム連動帯域と重ならないように強調帯域を設定していたが、本発明はこれに限ったものではない。リズム連動帯域と重なるように強調帯域を設定してもよい。
【００６９】
また、上述した実施例によれば、音楽信号を分岐する各ルートＲ１〜Ｒ３の全てに遅延部７〜９を設けていたが、本発明はこれに限ったものではない。例えば、図５に示すように、各ルートＲ１〜Ｒ４のうち最も大きな群遅延が発生するルートＲ２には遅延部を設けないようにしてもよい。
【００７０】
また、上述した実施例によれば、乗算部３Ａ−２、３Ａ−３を用いて、ＢＰＦ１により抽出されたリズム連動帯域の信号レベルに応じてＢＰＦ２−１によって抽出された強調帯域の信号レベルを変換していたが、本発明はこれに限ったものではない。例えば、図６に示すように、増幅部３Ａ−１をゲイン調整可能なものとし、ＢＰＦ１により抽出されたリズム連動帯域の信号レベルに応じて増幅器３Ａのゲインを調整するゲイン調整手段としてのゲイン調整部３Ｃ−１を設けてもよい。これによれば、増幅部３Ａ−１、ゲイン調整部３Ｃ−１を用いて、リズム連動帯域の信号レベルに応じて強調帯域の信号レベルを変換することができる。
【００７１】
また、上述した実施形態によれば、リズム連動帯域としては、１４０００Ｈｚ〜１５０００Ｈｚに設定されていたが、本発明はこれに限ったものではない。上述したようにリズム連動帯域は、１００００Ｈｚ以上１８０００Ｈｚ以下、好ましくは１００００Ｈｚ以上１６０００Ｈｚの範囲内に設定していればどの範囲でもよい。
【００７２】
また、上述した実施形態によれば、ＢＰＦ１、ＢＰＦ２−１、２−２、増幅部３Ｂ−１、５、乗算部３Ａ−１、３Ａ−２、ゲイン調整部３Ｃ−１、加算部４、遅延部７〜１０をＤＳＰ１０３で構成していたが、本発明はこれに限ったものではなく、全部を同等の働きをするアナログ回路で構成しても良いし、一部を同等の働きをするアナログ回路で構成してもよい。
【００７３】
また、前述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００７４】
【図１】本発明に係る音楽再生装置の基本構成の一例を示す構成図である。
【図２】本発明に係る音楽再生装置の基本構成の一例を示す構成図である。
【図３】本発明に係る音楽再生装置の一実施の形態を示すブロック図である。
【図４】図３に示す音楽再生装置を構成するＤＳＰの構成を示すブロック図である。
【図５】他の実施例における図３に示す音楽再生装置を構成するＤＳＰの構成を示すブロック図である。
【図６】他の実施例における図３に示す音楽再生装置を構成するＤＳＰの構成を示すブロック図である。
【符号の説明】
【００７５】
１        ＢＰＦ（リズム連動帯域抽出手段）
２−１    ＢＰＦ（強調帯域抽出手段）
２−２    ＢＰＦ（強調帯域抽出手段）
３Ａ−１  乗算部（信号レベル変換手段、乗算手段）
３Ａ−２  乗算部（信号レベル変換手段、乗算手段）
３Ｂ−１  増幅部（増幅手段）
３Ｃ−１  ゲイン調整部（ゲイン調整手段）
４        加算部（加算手段）
【図１】
2008249755.tif 000006
【図２】
2008249755.tif 000007
【図３】
2008249755.tif 000008
【図４】
2008249755.tif 000009
【図５】
2008249755.tif 000010
【図６】
2008249755.tif 000011